(57)【要約】【課題】道路面や圃場面を走行移動するとき、散布ブームを収納姿勢位置に保持させるときは、散布ブームが振動、揺動して、異音、騒音等を発生したり、散布ブームに配置の噴霧のノズルの取付が緩み易くなる。【解決手段】薬液を噴霧散布する散布ノズル1を有した散布ブーム2を、車体3の前端部に、横方向へ散布姿勢Aに開拡回動させたり、車体3横側部に前後方向に沿った収納姿勢Bに回動させるように、開閉回動可能に支持装着し、前記車体3の後部には、前記散布ブーム2の収納姿勢B位置先端部を受ける支持ガイド4を設け、この支持ガイド4上には、この支持ガイド4上面に受けた収納姿勢Bの散布ブーム2の浮上揺動を制止する抑え片5を設ける。【選択図】図６
2015223123.tif 000002
【特許請求の範囲】
【請求項１】
薬液を噴霧散布する散布ノズル（1）を有した撒布ブーム（2）を、車体（3）の前端部に，横方向へ散布姿勢Aに開拡回動させたり、車体（3）の横側に前後方向に沿った収納姿勢（B）に回動させるように，開閉回動可能に支持装着し、前記車体（3）の後部には，前期散布ブーム（2）の収納姿勢（B）位置先端部を受ける支持ガイド（4）を設け、この支持ガイド（4）上には、この支持ガイド（4）上面に受けた収納姿勢（B）の散布ブーム（2）の浮上揺動を制止する抑え片（5）を設けたことを特徴とする薬液散布機の散布ブーム収納装置。
【請求項２】
前記支持ガイド（4）上の抑え片（5）は，前記散布ブーム（2）の下動によってスプリング（6）に抗して押し開かれると共に、この散布ブーム（2）が支持ガイド（4）上面に支持されて収納姿勢（B）に受けられたときは，この散布ブーム（2）上側面を抑えて閉鎖するように構成し，散布ブーム（2）の浮上揺動を制止することを特徴とする請求項1に記載の薬液散布機の散布ブーム収納装置。
【請求項３】
前記抑え片（5）は手動操作のロックレバー（7）を設けて、このロックレバー（7）で抑え片（5）を閉鎖位置と開放位置とに切替可能に設けたことを特徴とする請求項1、又は2に記載の薬液散布機の散布ブーム収納装置。
【請求項４】
前記抑え片（5）の先端部には，散布ブーム（2）を摺動案内するガイドロール（8）を設けたことを特徴とする請求項1、2、又は3に記載の薬液散布機の散布ブーム収納装置。
【請求項５】
前記散布ブーム（2）を支持する支持ガイド（4）上面、又は、抑え片（5）の抑え面に、クッションゴム（9）を設けたことを特徴とする請求項1、2、3、又は4に記載の薬液散布機の散布ブーム収納装置。
【発明の詳細な説明】
【技術分野】
【０００１】
この発明は、トラクタ等の車体に散布ブームを装着して薬液噴霧を行って、圃場土壌面や、農作物等を消毒防除する薬液散布機において、前記薬液散布を行わないときの散布ブームを、安定した姿勢に収納させる散布ブーム収納位置に関するものである。
【背景技術】
【０００２】
散布ブームを車体の前端、左右両側に、左右前後方向に旋回可能に設けて、この散布ブームを伸縮シリンダによって、旋回させて、左右外側方へ突出する散布姿勢と、車体の横側に前後方向に沿う収納姿勢とに切替操作する技術（例えば、特許文献1参照）が知られている。
【先行技術文献】
【特許文献】
【０００３】
【特許文献１】特開2005―295903号公報
【発明の概要】
【発明が解決しようとする課題】
【０００４】
道路面や圃場面を走行移動するとき、散布ブームを収納姿勢位置に保持させるときは、散布ブームが振動、揺動して、異音、騒音等を発生したり、散布ブームに配置の噴霧のノズルの取付が緩み易くなる。
【課題を解決するための手段】
【０００５】
請求項1に記載の発明は、薬液を噴霧散布する散布ノズル1を有した散布ブーム2を、車体3の前端部に、横方向へ散布姿勢Aに開拡回動させたり、車体3横側部に前後方向に沿った収納姿勢Bに回動させるように、開閉回動可能に支持装着し、前記車体3の後部には、前記散布ブーム2の収納姿勢B位置先端部を受ける支持ガイド4を設け、この支持ガイド4上には、この支持ガイド4上面に受けた収納姿勢Bの散布ブーム2の浮上揺動を制止する抑え片5を設けたことを特徴とする薬液散布機の散布ブーム収納装置の構成とする。
【０００６】
薬液散布作業を行うときは、散布ブーム2を、車体3の前端部を横外側方向へ開拡回動させて散布姿勢Aに保持させて、車体3上に搭載の噴霧ポンプや、薬液タンク等から圧送される薬液を通して、各散布ノズル1から噴霧させて、車体3の前進する走行幅域、及び散布ブーム2の開拡幅域の土壌面や、作物部に散布する。薬液散布作業を終って車体3の単なる走行移動するときは、散布ブーム2を後側内部へ旋回させて、先端部を車体3の後部の支持ガイド4上に受けさせて、収納姿勢Bに切替える。この収納姿勢Bの散布ブーム2は、支持ガイド4上に受けられると共に、上側面部から抑え片5で抑えられて、浮上揺動が制止される。
【０００７】
請求項2に記載の発明は、前記支持ガイド4上の抑え片5は、前記散布ブーム2の下動によってスプリング6に抗して押し開かれると共に、この散布ブーム2が支持ガイド4上面に支持されて収納姿勢Bに受けられたときは、この散布ブーム2上側面を抑えて閉鎖するように構成し、散布ブーム2の浮上を制止することを特徴とする。
【０００８】
前記散布ブーム2を支持ガイド4上面に位置させて収納姿勢Bに操作するときは、この支持ガイド4上に位置する前記抑え片5がスプリング6に抗して押し開かれて、散布ブーム2が支持ガイド4上面に支持されると共に、この散布ブーム2の上面に抑え片5が位置して、支持ガイド4上面を閉鎖して、散布ブーム2の浮上脱出を阻止する。
【０００９】
請求項3に記載の発明は、前記抑え片5は手動操作のロックレバー7を設けて、このロックレバー7で抑え片5を閉鎖位置と開放位置とに切替可能に設けたことを特徴とする。
前記のように抑え片は、スプリング6によって支持ガイド4上面を閉鎖する状態に構成されると共に、散布ブーム2が支持ガイド4上面に入ることによって、スプリング6に抗して抑え片5を押し開いて、支持ガイド4上面への安定した支持を許すものであるが、これらの抑え片5の閉鎖位置や、開放位置は、ロックレバー7の操作によって切替操作して、散布ブーム2を収納姿勢Bに固定解放するときは、抑え片5の閉鎖位置を固定し、又、散布ブーム2をスプリング6によって閉じないように開放位置に固定するように切替え操作する。
【００１０】
請求項4に記載の発明は、前記抑え片5の先端部には、散布ブーム2を摺動案内するガイドロール8を設けたことを特徴とする。
前記のように、散布ブーム2が収納姿勢Bに切替えられて、支持ガイド4上の抑え片5に摺動押圧されるときは、この抑え片5のガイドロール8を摺動回転して、支持ガイド4面に対する滑り込み案内を円滑に行わせる。
【００１１】
請求項5に記載の発明は、前記散布ブーム2を支持する支持ガイド4上面、又は、抑え片5の抑え面に、クッションゴム9を設けたことを特徴とする。
前記のように抑え片5を押し開けて支持ガイド4上面に支持される散布ブーム2は、この支持ガイド4の支持面に形成されるクッションゴム9によって支持されるため、散布ブーム2の支持がクッションゴム9によって弾性的に支持緩衝されて、衝撃力を吸収されて、安定した姿勢に支持され、騒音、損傷等をも軽減することができる。
【発明の効果】
【００１２】
請求項1に記載の発明は、車体3の走行振動、揺動に伴う収納姿勢Bの散布ブーム2の振動、揺動伝播を制止して、散布ブーム2支持ガイド4から浮上、脱出、ばたつき等を防止し、散布ブーム2の損傷等を防止する。又、散布ブーム2の各噴霧ノズル1からの漏下を防止する。又、前記支持ガイド4上の抑え片5は、前記散布ブーム2の下動によって押し開かれると共に、支持ガイド4上面に支持されて収納姿勢Bに受けられたときは、この散布ブーム2上側面を抑えるように逆止弁の如き形態の構成として、散布ブーム2の収納作動、及び構成を簡単にし、的確に作動させることができる。
【００１３】
請求項2に記載の発明は、前記抑え片5は、逆止片のような形態に作動して散布ブーム2の収納姿勢Bへの作動、及び収納姿勢B維持を的確に行わせることができ、構成及び作動を簡単で、正確に行わせることができる。
【００１４】
請求項3に記載の発明は、ロックレバー7の操作で抑え片5の抑え位置や、開放位置へ切替操作することができ、円滑に的確に操作維持することができ、構成を簡単化することができる。
【００１５】
請求項4に記載の発明は、前記抑え片5の先端部には、ガイドロール8を設けるため、構成簡単でありながら、散布ブーム2の滑込み、抑え片5の作動を円滑に、正確に行わせることができる。
【００１６】
請求項5に記載の発明は、前記支持ガイド4上面のクッションゴム9の緩衝作動によって、散布ブーム2の収納支持を円滑に行わせることができ、緩衝効果により、散布ブーム2を静かに支持して、損傷や、噴霧ノズル1の緩みを防止し、安定した支持収納姿勢Bを維持することができる。
【図面の簡単な説明】
【００１７】
【図１】散布ブームを収納姿勢にした薬液散布機の側面図。
【図２】その正面図。
【図３】その背面図。
【図４】その平面図。
【図５】散布ブームを散布姿勢にして作業する薬液散布機の正面図。
【図６】支持ガイド部の作動状態を示す斜視図。
【図７】支持ガイドの受面にクッションゴムを形成した斜視図。
【図８】その抑え片部にロックレバーを設けた支持ガイド部の斜視図。
【図９】支持ガイド部の別実施例を示す斜視図。
【図１０】支持ガイド部の別実施例を示す作動正面図（A）、（B）、（C）。
【図１１】抑え片部にロールを設けた支持ガイド部の正面図（A）と、抑え片部の斜視図（B）。
【発明を実施するための形態】
【００１８】
図例に基づいて、薬液散布機は、ハンドル10で操向の前輪11と、後輪12を配置して、前部のボンネット13下に搭載のエンジン14によって連動駆動して走行する乗用四輪駆動走行形態のトラクタ車体3の前端部に、左右両側部へ向けて水平状に開拡したり（散布姿勢A）、車体3の左右両側部に位置して前後方向に沿った姿勢に収納する（収納姿勢B）ように、拡縮回動する散布ブーム2を設けて、この車体3に搭載の防除ポンプ15の駆動によって薬液タンク16の薬液を、この散布ブーム2の各噴霧ノズル1から噴霧させて、土壌面や、作物を噴霧して防除作業を行わせることができる形態である。
【００１９】
そして、前記散布ブーム2は、車体3の前端幅に亘って車体3幅一杯に水平形態に設けられるセンタブーム2Cと、このセンタブーム2Cの左右両端部に前後方向へ旋回回動可能に支持して設けられるサイドブーム2Sとを形成している。これら各ブームのうち左右両側のサイドブーム2S部を散布ブーム2として、車体3側の基端部を、車体3前端部を横方向に亘って設けられ支持枠18の左右横端部に旋回ピン19周りに回動可能に支持して、スプリング20に抗するレバー21、及びワイヤー22等による連動によって拡縮回動操作できる。
【００２０】
又、この左右両側部の散布ブーム2の基部を支持する支持枠18は、車体3の前端部で左右両側部において、支持アーム24に対する上下一対の平行リンク23形態に構成されたリフトリンク23の前端部の上下回動によって、平行状態を維持して昇降されて、この支持枠18の前側に沿うセンタブーム2Cの噴霧高さを変更することができる。このリフトリンク23の下部リンク部と、前記支持枠18の中間部から突出するブラケット25の上端部との間に、伸縮シリンダ26を設けて、この伸縮シリンダ26を伸縮操作することによって、支持枠18、及びこの支持枠18と一体的構成のセンタブーム2Cや、左右両側端部のサイドブーム2S等を、この支持枠18部の周りに回動させることができる。
【００２１】
従って、各散布ブーム2による作業状態が、散布姿勢Aに開拡した形態にあるときは、伸縮シリンダ26の伸縮によって各散布ブーム2が回動されて、各噴霧ノズル1による薬液噴出の前後方向の噴出角度が変更される。又、薬液噴出作動を停止した状態で、各散布ブーム2の基部を旋回ピン19の周りに後側へ回動させて、収納姿勢Bに操作するときは、前記伸縮シリンダ26の短縮によって、支持ガイド4の上方位置に旋回した散布ブーム2を下方回動させて、各支持ガイド4の上面に嵌合支持させることができる。又この収納姿勢Bの散布ブーム2を支持ガイド4上面から上方へ回動させるときは、前記伸縮シリンダ26を伸長させることによって行う。
【００２２】
前記車体3には運転席27の後側部を囲う形態に薬液タンク16を搭載して、この運転席27の下部に配置の薬液ポンプ15の駆動によって、薬液タンク16内の薬液を前記各散布ブーム2に送って、各散布ブーム2の噴霧ノズル1から噴霧するように、散布ホースや、切替弁等で配管構成している。前記散布ブーム2のサイドブーム2Sを旋回ピン19周りに回動するレバー21のレバーボックス28を、ステアリングポスト29の一側部に設け、このレバー21を操作することにより、左、右の散布ブーム2をスプリング20に抗して車体3横側に沿う収納姿勢Bから、横側外側前方位置の撒布姿勢Aに旋回回動操作することができる。又、運転席27の側部には、噴霧操作を行うための操作レバー30等を配置して、散布ブーム2から噴霧作動を開始、停止したり、噴霧量を調節したり、前記伸縮シリンダ26の作動を切替操作することができる。
【００２３】
又、この運転席27の一側部にはロックレバー7を設けて、このロックレバー7の操作により、前記支持ガイド4上面の抑え片5を開、閉位置に切替えて維持できるように構成している。
【００２４】
ここにおいて、この薬液撒布機は、薬液を噴霧散布する散布ノズル1を有した散布ブーム2を、車体3の前端部に、横方向へ散布姿勢Aに開拡回動させたり、車体3の横側部に前後方向に沿った収納姿勢Bに回動させるように、開閉回動可能に支持装着し、前記車体3の後部には、前記散布ブーム2の収納姿勢B位置先端部を受ける支持ガイド4を設け、この支持ガイド4上には、この支持ガイド4上面に受けた収納姿勢Bの散布ブーム2の浮上揺動を制止する抑え片5を設けた散布ブーム収納装置の構成とする。
【００２５】
薬液散布作業を行うときは、散布ブーム2を、車体3の前端部を横外側方向へ開拡回動させて散布姿勢Aに保持させて、車体3上に搭載の噴霧ポンプや、薬液タンク等から圧送される薬液を通して、各散布ノズル1から噴霧させて、車体3の前進する走行幅域、及び散布ブーム2の開拡幅域の土壌面や、作物部に散布する。薬液散布作業を終って車体3の単なる走行移動するときは、散布ブーム2を後側内部へ旋回させて、先端部を車体3の後部の支持ガイド4上に受けさせて、収納姿勢Bに切替える。この収納姿勢Bの散布ブーム2は、支持ガイド4上に受けられると共に、上側面部から抑え片5で抑えられて、浮上揺動が制止される。
【００２６】
又、前記支持ガイド4上の抑え片5は、前記散布ブーム2の下動によってスプリング6に抗して押し開かれると共に、この散布ブーム2が支持ガイド4上面に支持されて収納姿勢Bに受けられたときは、この散布ブーム2上側面を抑えて閉鎖するように散布ブーム2の浮上揺動を制止する形態とする。
【００２７】
前記散布ブーム2を支持ガイド4上面に位置させて収納姿勢Bに操作するときは、この支持ガイド4上に位置する前記抑え片5がスプリング6に抗して押し開かれて、散布ブーム2が支持ガイド4上面に支持されると共に、この散布ブーム2の上面に抑え片5が位置して、支持ガイド4上面を閉鎖して、散布ブーム2の浮上脱出を阻止する。
【００２８】
又、前記抑え片5は手動操作のロックレバー7を設けて、このロックレバー7で抑え片5を閉鎖位置と開放位置とに切替可能に設ける。
前記のように抑え片は、スプリング6によって支持ガイド4上面を閉鎖する状態に構成されると共に、散布ブーム2が支持ガイド4上面に入ることによって、スプリング6に抗して抑え片5を押し開いて、支持ガイド4上面への安定した支持を許すものであるが、これらの抑え片5の閉鎖位置や、開放位置は、ロックレバー7の操作によって切替操作して、散布ブーム2を収納姿勢Bに固定解放するときは、抑え片5の閉鎖位置を固定し、又、散布ブーム2をスプリング6によって閉じないように開放位置に固定するように切替え操作する。
【００２９】
又、前記抑え片5の先端部には、散布ブーム2を摺動案内するガイドロール8を設ける形態とする。
前記のように、散布ブーム2が収納姿勢Bに切替えられて、支持ガイド4上の抑え片5に摺動押圧されるときは、この抑え片5のガイドロール8を摺動回転して、支持ガイド4面に対する滑り込み案内を円滑に行わせる。
【００３０】
更に、前記散布ブーム2を支持する支持ガイド4上面、又は抑え片5の抑え面に、クッションゴム9を設ける。
前記のように抑え片5を押し開けて支持ガイド4上面に支持される散布ブーム2は、この支持ガイド4の支持面に形成されるクッションゴム9によって支持されるため、散布ブーム2の支持がクッションゴム9によって弾性的に支持緩衝されて、衝撃力を吸収されて、安定した姿勢に支持され、騒音、損傷等をも軽減することができる。
【００３１】
前記左右の散布ブーム2を収納姿勢Bに支持する支持ガイド4が車体3の左、右両側部に配置されるが、散布ブーム2の長さが長い場合は、前後二個所に配置されて散布ブーム2長さの適宜中間域の前、後二個所を支持する形態としている。前部の支持ガイド4は、前輪11部の上方位置において支持するように、後部の支持ガイド4は、後輪12部の上方位置において支架、支持するように配置する。各支持ガイド4は、正面視Y字状形態に開かれた支持面31を形成して、上側から下降する散布ブーム2を、この支持面31に受けることができる。支持ガイド4は、車体3の一部から突設される支持アーム32の先端部に構成される。
【００３２】
前記支持ガイド4の構成について、図6のように硬質合成樹脂材からなり、適宜厚さ、及び幅に形成して、この底片部35と、この左右両側部の側片部36、37とにより、正面視で略凹形状形態として形成し、この底片部35の上側支持面31に前記散布ブーム2を嵌合支持させることができる。前記底片部35の一側端部に前後方向に沿う回動軸38を設け、この回動軸38の周りに側片部37の下端部を回動させる形態である。この側片部37を支持ガイド4の内側へ適宜角度域回動させて、底片部35に受けた散布ブーム2を抑えて、これら対向の側片部36、乃至底片部35の内面との間に散布ブーム2を挟持するように固定することができる。
【００３３】
前記抑え片5は、この側片部37を内側へ回動aさせて散布ブーム2を抑える抑え片5として構成している。このため、散布ブーム2が、支持ガイド4上方位置から底片部35の支持面31へ回動するときは、側片部37（抑え片5）が外側へ開いて、対向側の側片部36との間の開き感覚を広く形成して、散布ブーム2の収納姿勢Bへの収納作動を行われ易く構成する。
【００３４】
前記抑え片5を回動aするために、運転席27側部のロックレバー7の操作によって、ワイヤー連動等で抑え片5を回動可能に連動構成し、散布ブーム2を支持面31に案内させるときは、抑え片5を外側へ開き、又、散布ブーム2を支持面31に受けて保持するときは、抑え片5を内側へ回動させて、支持面31との間に挟持保持するように構成することができる。
【００３５】
又、前記支持ガイド4の底片部35、左、右両側片部36、37の各内側面に沿って、適宜厚さのクッションゴム9を敷設して（図7参照）、この支持面31に案内して支持する散布ブーム2の支持を緩衝して、的確に支持挟持するように構成する。このようなクッションゴム9で覆われた支持面31に挟持された散布ブーム2は、揺動し難く、安定した支持姿勢位置に維持されるが、例え散布ブーム2が支持ガイド4内部で揺動されたとしても、クッションゴム9によって衝撃が緩和されて、損傷しないように保護することができる。又、車体3や、支持ガイド4等が大きく振動しても、散布ブーム2の振動、衝撃を軽減して、安全な収納姿勢Bとすることができる。
【００３６】
又、前記支持ガイド4の抑え片5を操作するためのロックレバー7を、抑え片5の回動部に設ける（図8参照）ことも可能である。支持ガイド4の下側に位置する支持アーム32には、ロックレバー7の回動域をロックするクリップピン39、40を設けて、ロックレバー7をクリップピン39に係合させてB固定することにより、抑え片5を開放位置ｂに固定維持することができ、又、クリップピン40に係合するCことにより、抑え片5を抑え位置dに固定維持することができる。
【００３７】
又、前記支持ガイド4の側片部37（抑え片5）を、支点越えスプリング41に抗して手動操作で切替回動する（図9参照）ことによって、散布ブーム2の支持固定、解放を切替える形態とすることが可能である。前記回動軸38の直下位置の支持アーム32のピン42と、前記回動軸38直上の側片部37のピン43との間に亘って、スプリング41の上下両端部を掛け渡して、支点越え形態に弾発する。
【００３８】
次に、主として図10、11においては、前記支持ガイド4の一側片部37の内側部に、抑え片5を設ける形態で、この抑え片5の上端部を側片部37の上端部に支持ピン45で枢支して、下端部を支持ガイド4内部にのぞませて上下回動自在に設け、スプリング6で適宜位置に弾発保持させている。
【００３９】
又、スプリング6は、上下一対のスプリング46、47からなり、抑え片5を下側の底片部35側へ回動するようにスプリング46で付勢し、この回動位置をスプリング47で受け止めて、抑え片5の先端部が適宜下り位置になるように傾斜せる傾斜面を形成させる。この抑え片5の傾斜面に散布ブーム2を押圧させて（A）、支持面31側へ押込むことによって、スプリング47に抗して下動させて、この抑え片5の先端部と対向部の側片部36との間の間隔部を開いて、この先端部から下側の支持面31側へ押込む（B）。又、この散布ブーム2が支持面31に支持されると、抑え片5の先端部が散布ブーム2の抑え位置から外れて、スプリング47によって上側位置へ復動されて、収納姿勢Bの散布ブーム2の上側に位置して（C）、散布ブーム2の浮上が阻止される。このときスプリング46によって抑え片5が散布ブーム2上面に押圧されて、収納姿勢Bを安定維持させる。
【００４０】
又、前記収納姿勢Bの散布ブーム2を支持ガイド4上面から上昇させて解放するときは、この散布ブーム2を上昇することにより、抑え片5をスプリング46に抗して上方へ回動させて、支持ガイド4上面を開いて、散布ブーム2の収納姿勢Bを外すことができる。
【００４１】
前記抑え片5の先端部に、散布ブーム2の摺動を案内するガイドロール8を回転自在に設けて、散布ブーム2との摺動案内を円滑に行わせる。抑え片5は、丸棒形態の部材をコ字形態に形成して、この基部を前記側片部37上端部に支持させる支持ピン45とし、先端部をガイドロール8を回転自在に支持するロール軸48とする。
【符号の説明】
【００４２】
１    散布ノズル
２    散布ブーム
３    車体
４    支持ガイド
５    抑え片
６    スプリング
７    ロックレバー
８    ガイドロール
９    クッションゴム
Ａ    散布姿勢
Ｂ    収納姿勢
【図１】
2015223123.tif 000003
【図２】
2015223123.tif 000004
【図３】
2015223123.tif 000005
【図４】
2015223123.tif 000006
【図５】
2015223123.tif 000007
【図６】
2015223123.tif 000008
【図７】
2015223123.tif 000009
【図８】
2015223123.tif 000010
【図９】
2015223123.tif 000011
【図１０】
2015223123.tif 000012
【図１１】
2015223123.tif 000013